(57)【要約】【課題】ダイヤルトーンのパターンを学習する機能を有することにより、構内交換機に接続されても、発着衝突を確実に防止でき、発呼できなくなる事態の発生を防止できる通信端末装置を提供する。【解決手段】  学習モードにモード設定された際、ＭＰＵの制御動作により、Ｓ１０でオンフックされると、「ＹＥＳ」と判定され、Ｓ２０では、構内交換機からダイヤルトーンの入力があると、「ＹＥＳ」と判定される。Ｓ３０では、ストップキーの入力操作がなければ、Ｓ４０で構内交換機からのダイヤルトーンのパターン（周波数・周期）をダイヤルトーン記憶部に記憶する。この結果、ダイヤルトーンの学習を行うことができる。【選択図】        図２
2006165790.tif 000002
【特許請求の範囲】
【請求項１】
通信回線を介して発呼する発呼手段と、ダイヤルトーンのパターンを記憶する記憶手段と、前記通信回線の閉結時に入力されたダイヤルトーンのパターンが、記憶しているパターンと一致する否かを判定するパターン判定を行い、前記入力されたパターンが記憶しているパターンと一致すると判定したとき、前記発呼手段に発呼動作を開始させる制御手段とを備えた通信端末装置において、
前記制御手段は、ダイヤルトーンのパターンを学習する学習機能を備えたことを特徴とする通信端末装置。
【請求項２】
前記制御手段の学習機能を有効化するモードに設定するモード設定手段を備え、
前記制御手段は、前記モードが設定された状態において、ダイヤルトーンの入力があった場合、入力されたダイヤルトーンのパターンを判定用のパターンとして前記記憶手段に記憶させることを特徴とする請求項１に記載の通信端末装置。
【請求項３】
前記制御手段は、最初に入力したダイヤルトーンのパターンを判定用のパターンとして前記記憶手段に記憶させ、その記憶したパターンを用いて、該記憶手段に前記パターンを記憶した以降の発呼時におけるパターン判定を行うことを特徴とする請求項１に記載の通信端末装置。
【請求項４】
ＣＮＧ（コーリングトーン）信号を検出する検出手段と、ダイヤルトーンが検出されずに、ＣＮＧ信号が検出された場合、受信処理を優先的に実行し、その受信処理の終了後に、前記発呼を伴う送信処理を実行する手段とを備えたことを特徴とする請求項１乃至請求項３のうちいずれか１項に記載の通信端末装置。
【発明の詳細な説明】
【技術分野】
【０００１】
本発明は、通信端末装置に関する。
【背景技術】
【０００２】
一般にファクシミリ装置等の通信端末装置において、送信すべき相手方に発呼（発信）した場合に、たまたま自装置に対しての着呼（着信）があり、発呼と着呼が衝突する場合がある。この場合、送信処理も受信処理も行われないようにされている通信端末装置がある。これに対して、このような不具合を解消するために、発呼時に、着呼を検出すると、着呼を優先処理するようにした通信端末装置がある。具体的には、この技術では、発呼に際し、局線を介して局交換機からの発信音(ダイヤルトーン)を検出しないと、ＣＮＧ検出手段でコーリングトーンを検出し、優先的に受信モードの受信処理に入るようにしている（例えば、特許文献１、特許文献２）。なお、特許文献１や特許文献２では、局交換機から発信された４４０Ｈｚの連続トーンからなるダイヤルトーンを検出できるようにされている。このように、局交換機が発信するダイヤルトーンを検出できる通信端末装置は、前記発呼と着呼の衝突が生じないため、便利である。
【０００３】
ところで、通信端末装置が、内線端末として構内交換機を介して局線に接続され、該内線端末から他の網に収容された端末の発呼が指示される場合、前記構内交換機は、下記の手順で、内線端末から発呼を行う。
【０００４】
まず内線端末がオフフックされ、内線のループが閉成されると、構内交換機が当該内線端末に対してダイヤルトーンを返送する。そして、内線端末からダイヤル情報が与えられると、構内交換機は局交換機との間の局線のループを閉成し、局交換機から返送されるダイヤルトーンを聴取したのちにダイヤル情報を局交換機へと転送する。これに応じて局交換機によって発呼先端末の呼び出しが行われ（これと同時に構内交換機及び内線端末にはリングバックトーンが与えられる）、発呼先端末の応答後、局交換機によって構内交換機と局交換機との間の局線の極性が反転されたのち、発呼元の内線端末と発呼先端末との間で通話が可能となる。
【特許文献１】特開平１−３０３８５５号公報
【特許文献２】特開２００４−１１２３６５号公報
【発明の開示】
【発明が解決しようとする課題】
【０００５】
しかし、構内交換機の仕様によって、構内交換機のダイヤルトーンのパターン（周波数・周期）が、局交換機のダイヤルトーンのパターンと異なるため、局交換機のダイヤルトーンのパターンのみを検出できるようにした通信端末装置を内線端末として設置した場合、構内交換機のダイヤルトーンが検出できない場合が生ずる。この場合、該通信端末装置では発呼できなくなる事態が生ずる。又、該通信端末装置では例えば、前述した発呼と着呼の衝突が防止できなくなる。
【０００６】
本発明の目的は、ダイヤルトーンのパターンを学習する機能を有することにより、構内交換機に接続されても、発着衝突を確実に防止でき、発呼できなくなる事態の発生を防止できる通信端末装置を提供することにある。
【課題を解決するための手段】
【０００７】
上記問題点を解決するために、請求項１に記載の発明は、通信回線を介して発呼する発呼手段と、ダイヤルトーンのパターンを記憶する記憶手段と、前記通信回線の閉結時に入力されたダイヤルトーンのパターンが、記憶しているパターンと一致する否かを判定するパターン判定を行い、前記入力されたパターンが記憶しているパターンと一致すると判定したとき、前記発呼手段に発呼動作を開始させる制御手段とを備えた通信端末装置において、前記制御手段は、ダイヤルトーンのパターンを学習する学習機能を備えたことを特徴とする通信端末装置を要旨とするものである。
【０００８】
請求項２の発明は、請求項１の通信端末において、前記制御手段の学習機能を有効化するモードに設定するモード設定手段を備え、前記制御手段は、前記モードが設定された状態において、ダイヤルトーンの入力があった場合、入力されたダイヤルトーンのパターンを判定用のパターンとして前記記憶手段に記憶させることを特徴とする。
【０００９】
請求項３の発明は、請求項１の通信端末装置において、前記制御手段は、最初に入力したダイヤルトーンのパターンを判定用のパターンとして前記記憶手段に記憶させ、その記憶したパターンを用いて、該記憶手段に前記パターンを記憶した以降の発呼時におけるパターン判定を行うことを特徴とする。
【００１０】
請求項４の発明は、請求項１乃至請求項３のうちいずれか１項の通信端末装置において、ＣＮＧ（コーリングトーン）信号を検出する検出手段と、ダイヤルトーンが検出されずに、ＣＮＧ信号が検出された場合、受信処理を優先的に実行し、その受信処理の終了後に、前記発呼を伴う送信処理を実行する手段とを備えたことを特徴とする。
【発明の効果】
【００１１】
請求項１の発明によれば、ダイヤルトーンのパターンを学習する機能を有することにより、構内交換機に接続されても、発着衝突を確実に防止でき、発呼できなくなる事態の発生を防止できる。又、ダイヤルトーンのパターンが異なるさまざな構内交換機に対しても対応して通信端末装置を接続できる効果がある。
【００１２】
請求項２の発明によれば、モード設定手段により、制御手段の学習機能を有効化できるため、制御手段は、ダイヤルトーンのパターンを学習することができる。
請求項３の発明によれば、制御手段は、該通信回線において最初に入力したダイヤルトーンのパターンを学習するため、学習のためのモード設定等を行う手間が無く、自動的にダイヤルトーンのパターンを学習できる。
【００１３】
請求項４の発明によれば、発呼と着呼が衝突した場合、通信エラーで、再度ユーザーが送信し直すために通信端末装置を操作することが必要でなくなり、自動で再送信することができる効果がある。
【発明を実施するための最良の形態】
【００１４】
（第１実施形態）
以下、本発明の通信端末を、ファクシミリ装置１に具体化した一実施形態を図１〜３に従って説明する。
【００１５】
ファクシミリ装置１は、図１（ａ）に示すように、ＮＣＵ１０(網制御装置)と、モデム２０と、ＲＯＭ３０と、ＲＡＭ４０と、画像メモリ５０と、ＭＰＵ６０（マイクロプロセッシングユニット）と、表示部７０と、操作部８０と、画像読取部９０と、コーデック１００と、プリンタ１１０と、ダイヤルトーン記憶部１２０及びバス１３０とを備えている。
【００１６】
ＮＣＵ１０は、図１（ｂ）に示すように構内交換機２００に対して通信回線としての内線２１０を介して接続されており、内線２１０に対して、構内交換機２００との接続を制御するとともに、相手先の電話番号（＝対応したダイヤル信号）の送出機能、及び着信を検出するための機能を備えている。また、ＮＣＵ１０はダイヤルトーン、ＣＮＧ（コーリングトーン）信号等を内線２１０より入力する。
【００１７】
ＮＣＵ１０は、ダイヤルトーン検出部１５、ＣＮＧ信号検出部１６、ダイヤル信号発生部１７を備えている。ダイヤルトーン検出部１５は、内線２１０を介して構内交換機２００から送信されてくるダイヤルトーンを検出し、その検出信号をＭＰＵ６０に出力する。又、ＣＮＧ信号検出部１６は、局線２２０、構内交換機２００、内線２１０を介して、相手ファクシミリ装置（図示しない）から送信されてくるコーリングトーン（ＣＮＧ信号）を検出し、その検出結果をＭＰＵ６０に出力する。ＣＮＧ信号検出部１６は検出手段に相当する。ダイヤル信号発生部１７は、発呼時に操作部８０のテンキー等により入力されたダイヤルに応じたダイヤル信号を発生させ、内線２１０を介して構内交換機２００に発信する。ダイヤル信号発生部１７は、発呼手段に相当する。又、構内交換機２００は、局線２２０（電話回線）を介して図示しない局交換機に接続されている。
【００１８】
モデム２０は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。
【００１９】
ＲＯＭ３０はファクシミリ装置全体を制御するためのプログラムを記憶する。ＲＡＭ４０は、ファクシミリ装置１に関する各種情報を一時的に記憶する。画像メモリ５０は受信画像データや画像読取部９０で読み取られた画像データを一時的に記憶する。ＭＰＵ６０は、ＲＯＭ３０に記憶されたプログラムに従い、ファクシミリ装置１を構成する各部を制御する。表示部７０は装置の動作状態等の各種情報、転送時間帯表示等の表示を行う。ＭＰＵ６０、ＲＯＭ３０、及びＲＡＭ４０は、制御手段に相当する。操作部８０はテンキー、ワンタッチキー、スタートキー（ともに図示しない）、ストップキー８４、モード設定キー８５、その他のキーで構成されている。モード設定キー８５が操作により、ＭＰＵ６０の各種モード設定が可能である。モード設定キー８５は、モード設定手段に相当する。本実施形態では、設定可能なモードには、学習モード、コピーモード、及びファックスモード等を含む。
【００２０】
画像読取部９０は原稿上の画像データを読み取って、白黒２値のイメージデータを出力する。コーデック１００は、送信すべき画データを符号化し、また受信した画データを復号する。プリンタ１１０は、電子写真式のプリンタよりなり、受信画像データやコピー動作において、画像読取部９０で読み取られた原稿の画像データを記録紙上に記録する。
【００２１】
ダイヤルトーン記憶部１２０は、ＭＰＵ６０が学習モードにおいて、内線２１０を介して入力したダイヤルトーンのパターンを記憶可能とされている。
次に、本実施形態の作用を説明する。
【００２２】
図２は、ＭＰＵ６０が実行する学習モードのフローチャートである。
モード設定キー８５の操作に応じて、ＭＰＵ６０は、学習モードにモード設定する。ＭＰＵ６０は学習モードに設定すると、ファクシミリ装置１自体の制御動作を行う、ＭＰＵ６０は、前記制御動作により、Ｓ１０において、オンフックすると、ＭＰＵ６０は「ＹＥＳ」と判定し、Ｓ２０に移行する。Ｓ２０では、ＭＰＵ６０は、構内交換機２００からダイヤルトーンの入力があると、「ＹＥＳ」と判定し、Ｓ３０に移行する。Ｓ３０では、ストップキー８４の入力操作の有無を判定する。このステップは、学習モードに設定された後において、学習モードを停止したい場合にストップキー８４の入力がされたか否かを判定するために設けられている。ＭＰＵ６０は、Ｓ３０において、ストップキー８４の入力操作がなければ、ここでの判定を「ＮＯ」として、Ｓ４０において、構内交換機２００からのダイヤルトーンのパターン（周波数・周期）をダイヤルトーン記憶部１２０に記憶する。なお、図示しない局交換機からのダイヤルトーンは、通常、４４０Ｈｚであるが、構内交換機２００のダイヤルトーンは、局交換機のダイヤルトーンのパターン（周波数・周期）と異なっている。
【００２３】
Ｓ４０において、ＭＰＵ６０は、ダイヤルトーンのパターン（周波数・周期）をダイヤルトーン記憶部１２０に記憶すると、このフローチャートを終了する。又、Ｓ３０において，ストップキー８４がオン操作されると、ＭＰＵ６０は、このフローチャートを終了する。
【００２４】
なお、前記学習モードでは、Ｓ３０において、ストップキー８４の入力操作の有無を判定するようにしたが、このステップを省略して、Ｓ２０の処理の後、Ｓ４０に移行して、入力されたダイヤルトーンの記憶処理を行うようにしてもよい。
【００２５】
図３は、本実施形態のファクシミリ装置１の通信処理動作のフローチャートである。この通信処理は、モード設定キー８５により、ファクスモードに設定されて、図示しないスタートキーが操作されると、ＭＰＵ６０が実行を開始する。
【００２６】
まず、Ｓ１００において、ＭＰＵ６０は先ず受信要求有りか否かを判定する。ここでは、後述するＳ１８０での受信要求セットがなされている場合において、このルーチンに入った来た場合に、受信要求有りの判定で、Ｓ１６０へ移行する。一方、受信要求無しの場合は、Ｓ１１０へ移行する。Ｓ１６０においては、着呼により送られて来たデータの受信処理を行う。
【００２７】
Ｓ１１０においては、ＭＰＵ６０は、送信要求有りか否か判定する。例えば、操作部８０の図示しないワンタッチキーが押下された場合、送信時刻指定の送信データが記憶されており、その指定時刻に達して、ＭＰＵ６０より送信指令が出た場合、などに送信要求有りとなる。送信要求有りの場合は、ＭＰＵ６０は、Ｓ１２０へ移行する。一方、送信要求無しの場合は、ＭＰＵ６０は、Ｓ１００へ戻る。
【００２８】
Ｓ１２０においては、ＭＰＵ６０は、回線捕捉、つまり回線閉結を行う。そして、Ｓ１３０へ移行する。
Ｓ１３０においては、ＭＰＵ６０は、ダイヤルトーン判定（すなわち、パターン判定）を行う。ダイヤルトーンの判定は、下記のようにＭＰＵ６０は行う。
【００２９】
内線２１０を介して構内交換機２００からの着呼などが無い場合は、構内交換機２００からはダイヤルトーンが送信される。このため、ＭＰＵ６０は、ダイヤルトーン検出部１５の検出信号に基づいて、構内交換機２００から送信されたダイヤルトーンのパターンと、ダイヤルトーン記憶部１２０に記憶（学習）したダイヤルトーンのパターンとが一致するか否かを判定する。
【００３０】
ＭＰＵ６０は、構内交換機２００から送信されたダイヤルトーンのパターンと、ダイヤルトーン記憶部１２０に記憶したダイヤルトーンのパターンとが一致する場合、構内交換機２００からのダイヤルトーンであると判定して、Ｓ１４０へ移行する。一方、ＭＰＵ６０はダイヤルトーンが、予め記憶したダイヤルトーンのパターンと不一致であると判定すると、Ｓ１７０へ移行する。
【００３１】
Ｓ１７０においては、ＣＮＧ信号検出部１６が、ＧＮＧ（コーリングトーン）信号を検出したか否かを判定する。
ＭＰＵ６０は、ＣＮＧ信号検出と判定すると、Ｓ１８０へ移行する。一方、ＭＰＵ６０は、ＣＮＧ信号を検出しない場合は、Ｓ１４０へ移行する。
【００３２】
Ｓ１３０でダイヤルトーンでないと判定され、Ｓ１７０でＣＮＧ信号が検出された場合は、発呼時に着呼があったことを意味する。そのため、Ｓ１８０においては、現状で送信が起動されているので、受信要求をセットする（受信処理を優先する）とともに、送信要求を「リダイヤル」のウェイティング状態にする。
【００３３】
Ｓ１８０の処理後、ＭＰＵ６０は、処理を終了する。その後、ＭＰＵ６０は、Ｓ１００へ戻るが、Ｓ１００の受信要求有りかの判定（メインプログラムの中で、受信要求がセットされているか否かの確認）は、Ｓ１８０の受信要求セットに応じてＹＥＳと判定するため、Ｓ１６０へ移行し、受信処理を優先して、実行する。
【００３４】
ＭＰＵ６０は、受信処理が終了して、Ｓ１００へ戻ると、以後は、Ｓ１００において、受信要求かの判定ＮＯ、Ｓ１１０では、Ｓ１８０の送信要求を「リダイヤル」のウェイティング状態にしていることにより、送信要求かの判定をＹＥＳとし、更にＳ１２０で、回線捕捉する。ＭＰＵ６０は、続いて、Ｓ１３０でのダイヤルトーン検出かの判定をＹＥＳとし、Ｓ１４０へ移行する。Ｓ１４０において、ＭＰＵ６０は、ダイヤル信号発生部１７にて、発呼してダイヤルインし、次にＳ１５０へ移行し、発呼に係る送信処理を行う。ここで、又、ＭＰＵ６０は、ダイヤルトーンが検出されずに、ＣＮＧ信号が検出された場合、受信処理を優先的に実行し、前記受信処理の終了後に、前記発呼を伴う送信処理を実行する手段に相当する。
【００３５】
上記説明は、発呼と着呼が同時にあった場合の説明である。なお、発呼時に着呼がない場合、すなわち、通常の場合には、上記と同様に、ＭＰＵ６０は、Ｓ１００の判定をＮＯとし、Ｓ１１０の送信要求かの判定をＹＥＳとし、Ｓ１２０の回線閉結（回線捕捉）を経て、Ｓ１３０でのダイヤルトーン検出かの判定ＹＥＳとするため、Ｓ１４０でダイヤル、最後にＳ１５０にて送信処理を行う。
【００３６】
このように、第１実施形態では、モード設定キー８５のモード設定により、ＭＰＵ６０は、学習機能として、構内交換機２００のダイヤルトーンのパターンをダイヤルトーン記憶部１２０に予め記憶させることができる。この学習機能により、構内交換機２００がどのようなパターン（周波数・周期）を持ったダイヤルトーンを発信するようになっていても、該ファクシミリ装置１を構内交換機に接続して使用することができる。この結果、構内交換機のダイヤルトーンの検出（すなわち、ファクシミリ装置１に接続されている構内交換機のダイヤルトーンの判定）を行うことができるため、発着衝突の防止も行うことができ、発呼できなくなることはない。
【００３７】
ところで、第１実施形態と異なり、従来は、発呼と着呼が衝突した場合、通信エラーで、再度ユーザーが送信し直すために通信端末装置を操作する必要があるが、第１実施形態ではそのような通信端末装置(ファクシミリ装置１)を送信し直すための操作が必要ない。
【００３８】
（第２実施形態）
次に、第２実施形態を図４及び図５を参照して説明する。なお、第１実施形態と同一構成については、同一部号を付して、その説明を省略し、異なるところを中心に説明する。第１実施形態では、ダイヤルトーンのパターンの学習を行うためにモード設定を、モード設定キー８５の入力に基づいて行うようにしていた。第２実施形態では、この第１実施形態のモード設定によるダイヤルトーンのパターンの学習を省略し、その代わりにダイヤルトーンのパターンの学習をＳ１２０と、Ｓ１３０の間のＳ１２５のダイヤルトーン処理で行うところが異なっている。
【００３９】
図５は、ダイヤルトーン処理のフローチャートである。同図に示すように、Ｓ２００ではダイヤルトーン検出が行われた際、そのダイヤルトーンの入力が初めてか否か、すなわち、装置設置後又は電源投入後においてダイヤルトーンの入力が初めてか否かをＭＰＵ６０は判定する。ＭＰＵ６０は初めてであると判定すると、Ｓ２１０において、入力したダイヤルトーンのパターンをダイヤルトーン記憶部１２０に記憶し、このルーチンを終了し、ダイヤルトーンの入力が初めてでない場合、ＭＰＵ６０は、ＮＯと判定して、このルーチンを終了する。
【００４０】
このように、第２実施形態では、構内交換機２００にファクシミリ装置１を接続した後、初めて回線捕捉、すなわち、回線閉結があって、ダイヤルトーンの入力があると、入力したダイヤルトーンのパターンをダイヤルトーン記憶部１２０に自動的に記憶できる。この結果、第１実施形態と異なり、モード設定のためのモード設定操作を行うような手間をかけることなく、ＭＰＵ６０は学習できる。すなわち、ＭＰＵ６０はダイヤルトーン記憶部１２０にダイヤルトーンのパターンを記憶させることができる。
【００４１】
なお、第１実施形態、第２実施形態では、通信端末装置としてファクシミリ装置に具体化したが、複写機能付きファクシミリ装置等に具体化してもよい。
【図面の簡単な説明】
【００４２】
【図１】（ａ）は本発明を具体化した第１実施形態のファクシミリ装置１のブロック図、（ｂ）は構内交換機とファクシミリ装置１の接続を示す説明図。
【図２】第１実施形態の学習モードにおいてＭＰＵ６０が実行するフローチャート。
【図３】ファクシミリ装置の通信処理動作をフローチャート。
【図４】第２実施形態のファクシミリ装置の通信処理動作をフローチャート。
【図５】同じくファクシミリ装置の通信処理動作をフローチャート。
【符号の説明】
【００４３】
１６…ＣＮＧ信号検出部（検出手段）
３０…ＲＯＭ
４０…ＲＡＭ
６０…ＭＰＵ（ＲＯＭ３０，ＲＡＭ４０とともに制御手段を構成する。受信処理を優先処理する手段、送信処理を実行する手段）
８５…モード設定キー（モード設定手段）
１２０…ダイヤルトーン記憶部（記憶手段）
【図１】
2006165790.tif 000003
【図２】
2006165790.tif 000004
【図３】
2006165790.tif 000005
【図４】
2006165790.tif 000006
【図５】
2006165790.tif 000007